(57)【要約】【課題】風で広告面がなびいたり巻き上がったりせず、しかも風で動いても広告面が簡単に視認でき、風が止むと自然に元の位置に戻るようにした広告効果の高い、しかもその形状や風による動き方も斬新な円形広告具を提案する。【解決手段】円形の広告シート部の外周に筒状縫着部が形成され、該縫着部内にはバネ性に富む１本の線金の一部がその全周に渡って挿通され、該線金の上記縫着部外側にある部分は所定長さを置いてその基部が支持具に支持され、これにより広告シート部は線金によって弾力的に支持され、上記支持具にはガラス窓や壁面等の所定個所へ取付け可能な吸盤等の固定手段を有してなる。【選択図】    図１
2005070093.tif 000002
【特許請求の範囲】
【請求項１】
円形の広告シート部の外周に筒状縫着部が形成され、該縫着部内にはバネ性に富む１本の線金の一部がその全周に渡って挿通され、該線金の上記縫着部外側にある部分は所定長さを置いてその基部が支持具に支持され、該支持具はガラス窓や壁面等の所定個所へ取付け可能な固定手段を有してなることを特徴とする円形広告具。
【請求項２】
前記支持具は、ガラス窓や壁面等の平滑面に吸着固定可能な２個の吸盤が上下両端部に寄せて取り付けられた軸体と、該軸体の中間部ほぼ中央でかつ上記吸盤と反対側から斜め上方へ向けて突出する支持軸を備え、該支持軸の上部外周には套管の略下半部が密に嵌合し、該套管の上部には該套管内に密に嵌挿可能な筒状部を有するキャップが嵌着され、該キャップには前記広告シート部外周の縫着部外側にある線金の基部が挿通されて上記キャップ筒状部より下方に突出させた線金基端を折り返して該線金基端部がキャップから抜け出し不能に構成されてなる請求項１記載の円形広告具。
【請求項３】
前記線金は、前記支持具から斜め上方に向けて突出し、所定間隔離した広告シート部の円周の接線とほぼ合致させ、該シート部の接点となる個所の前記筒状縫着部を一部切欠して設けた巻止め具に一巻きしてから該縫着部内を一周し、該線金の先端も上記巻止め具に巻き止めるようにしてなる請求項１又は２記載の円形広告具。
【請求項４】
所定個所へ取付け可能な前記支持具の固定手段として、吸盤、粘着テープ又はマグネットのいずれかを使用する請求項１、２又は３記載の円形広告具。
【発明の詳細な説明】
【０００１】
【発明の属する技術分野】
本発明は、風が当たってもシート状の円形広告面がなびいたり巻き上がったりして広告内容が見えにくくなるようなことがなく、その形状や動き方もおもしろい旗状の新規な円形広告具に関するものである。
【０００２】
【従来の技術】
従来の一般的な広告用旗は、そのシート状旗面の左右一方側縁を竿柱に固定したものや、腕木に旗面を吊下したものが多いが、それらは風でなびいたり巻き上がってしまって旗面の広告内容が認知できず、広告効果が上がらない。
【０００３】
そこで、なびいたり巻上りを抑えるために、例えば旗面の上下縁部を上下の腕木に固定して、旗面をピンと張ったものもあるが、この場合には旗面が受ける風の抵抗をやわらげるために、腕木自体を水平旋回できるように構成する必要があり、旗面が水平旋回してもそのままでは別の機構を付加しないと元位置に戻ることはないので、旗面を定位置に保持することが難かしく、やはり広告効果が上がらない。
【０００４】
【発明が解決しようとする課題】
本発明は、従来の広告用旗の概念を打ち破り、風で広告面がなびいたり巻き上がったりせず、しかも風で動いても広告面が簡単に視認でき、風が止むと自然に元の位置に戻るようにした広告効果の高い、しかもその形状や風による動き方も斬新な円形広告具を提案するものである。
【０００５】
【課題を解決するための手段】
即ち、本発明は円形の広告シート部の外周に筒状縫着部が形成され、該縫着部内にはバネ性に富む１本の線金の一部がその全周に渡って挿通され、該線金の上記縫着部外側にある部分は所定長さを置いてその基部が支持具に支持され、これにより広告シート部は線金によって弾力的に支持されており、上記支持具にはガラス窓や壁面等の所定個所へ取付け可能な固定手段を有してなる円形広告具に関するものである。
【０００６】
そして、上記支持具は例えばガラス窓や壁面等の平滑面に吸着固定可能な２個の吸盤が上下両端部に寄せて取り付けられた軸体と、該軸体の中間部ほぼ中央でかつ上記吸盤と反対側から斜め上方へ向けて突出する支持軸を備えている。
【０００７】
該支持軸の上部外周には套管の略下半部が密に嵌合し、該套管の上部には該套管内に密に嵌挿可能な筒状部を有するキャップが嵌着され、該キャップには前記広告シート部外周の縫着部外側にある線金の基部が挿通され、上記キャップ筒状部より下方に突出させた線金基端は折り返して該線金基端部がキャップから抜け出し不能に構成されている。
以下、本発明に係る円形広告具の実施形態を図により説明する。
【０００８】
【発明の実施の形態】
図１は本発明の円形広告具の全体側面図、図２は円形広告具の支持固定部の断面説明図で、１は片面又は両面に広告文字や絵等を表示した布、樹脂シート、紙等よりなる円形の広告シート部で、該シート部１の外周には全周にわたって片面へ若干折り返すかバイアステープ等を使用して筒状縫着部２が形成されている。
【０００９】
３は基端部を後記する支持具４に支持され、所定の長さの露出部分を置いてから、上記シート部１外周の筒状縫着部２内に挿通して該シート部１をピンと張るようにしてその外周を一周するピアノ線等のバネ性、弾力性に富む一本の線金で、該線金３は例えば上記支持具４から斜め上方に向け、所定間隔離したシート部１の円周の接線とほぼ合致させて、そのシート部１の接点となる個所の上記筒状縫着部２を一部切欠して設けた巻止め具５に一巻きしてから、該縫着部２内に通し、その先端も上記巻止め具５に巻き止めるようにする（図２参照）。これにより、ちょうど釣竿か提灯のように一本の線金３で円形の広告シート部１を吊るようにする。
【００１０】
線金３の基端を支持固定する支持具４は、図２に示すようにガラス窓や壁面等の平滑面に吸着固定可能な２個の吸盤７、７が上下両端部に寄せて取り付けられた軸体６と、該軸体６の中間部ほぼ中央でかつ上記吸盤７、７と反対側から斜め上方へ向けて突出する支持軸８を備えている。
【００１１】
９は上記支持軸８の上部外周にその略下半部が密に嵌合した套管でこの套管９の上部にはキャップ１０が嵌着される。該キャップ１０下面には上記套管９内の上部に密に嵌挿可能な筒状部１０ａが一体に形成され、該筒状部１０ａはキャップ１０先端面中央に開設した線金挿入孔１０ｂと連通している。
【００１２】
そして、あらかじめ上記線金３はその基端部をキャップ１０の上記挿入孔１０ｂから筒状部１０ａ内に挿通し、該筒状部１０ａより下方に突出させた線金先端３ａを略Ｕ字形に折り返して線金３基端部がキャップ１０から抜け出し不能に形成しておき、このキャップ１０の筒状部１０ａを套管９先端部に嵌挿するのである。
【００１３】
なお、１１は軸体６の上下吸盤７、７と同側の中央部に形成された突出部で、上下吸盤７、７をガラス面等の平滑面に吸着したときに、該突出部１１が平滑面に当接して支持具４全体を安定させるためのものである。
【００１４】
しかして、このように構成された円形広告具を使用するときには、例えばガラス窓や平滑な壁面等の屋外側に上記吸盤７を利用して円形の広告シート部１面が垂直となるように吸着固定させれば、この円形のシート部１は円形を保持された状態で一本の線金３のシート部１と支持具４間の露出部分で弾力的に支持されているので、風が吹いてもなびいたり、めくれ上がったり、巻き上がったり、あるいはシート部１が回転するようなことはなく、線金３の上記露出部分がシート部１への風の当たりによって一時的に変形するだけであるので、シート部１の広告内容が見えにくくなることはなく、風が止めばすぐに元位置に戻るのである。
【００１５】
また、広面シート部１は上記のように一本の線金３によって弾力的に保持されているので、わずかな風でも微妙な動きを行うから、この広告具を屋外のみならず、室内に設置した場合、エアコンや扇風機の風でも上下左右におもしろい動きをし、この広告具を室内あるいは屋外に向けて複数並べて設置すれば、その動きが非常に目立って、広告効果も絶大である。
【００１６】
なお、図示の実施例図では、支持具４のガラス面等の平滑面への固定手段として、吸盤７を示したが、取付け個所によっては、これに代えて剥離紙を備えた粘着テープやマグネットを使用してもよい。
【００１７】
また、この円形広告具の取付場所は内外のガラス窓や建物壁面のほか、テーブル面や天井面、逆傾斜した面、柱や床面、ショーケースや家具など種々の部分に取付けることができる。
【００１８】
【発明の効果】
本発明の円形広告具は上述のようにしてなり、円形の広告シート部は外周にある線金によっていつも円形を保持され、風を受けてなびいたり、めくれたり、巻上がる心配がないので、シート部の広告面が見にくくなることはなく、該シート部は上記シート部外周の線金と一本物の線金による支持具との間の線金露出部分によって吊竿のように弾力的に吊持されているので、シート部に風が当たっても該線金露出部分が変形するだけで、シート部が回転してしまうおそれはなく、風が止めばすぐに元位置に戻り、またわずかな風でシート部が上下左右におもしろい動きをする等、構造簡単、制作費廉価にして広告効果の高い趣向のある広告具を提供することができる。
【図面の簡単な説明】
【図１】本発明に係る円形広告具の全体側面図である。
【図２】支持固定部の拡大断面説明図である。
【符号の説明】
１−円形の広告シート部
２−筒状縫着部
３−線金
４−支持具
５−巻止め具
６−軸体
７−吸盤
８−支持軸
９−套管
１０−キャップ
１１−突出部
【図１】
2005070093.tif 000003
【図２】
2005070093.tif 000004